【手続補正書】
【提出日】平成17年1月6日(2005.1.6)
【手続補正１】
【補正対象書類名】明細書
【補正対象項目名】発明の名称
【補正方法】変更
【補正の内容】
【発明の名称】移動通信システム、通信方法、および移動通信デバイス
【手続補正２】
【補正対象書類名】明細書
【補正対象項目名】特許請求の範囲
【補正方法】変更
【補正の内容】
【特許請求の範囲】
【請求項１】  複数の移動通信デバイスと、
通信回路網と前記複数の移動通信デバイスのうちの選択された１つとの間で情報を通信するための直接リンクと、
前記複数の移動通信デバイスにより受信可能であるように意図された情報を前記通信回路網から同時に同報通信するための同報通信リンクと、
を含んでいる、移動通信システム。
【請求項２】  前記直接リンクは、前記選択された移動通信デバイスとの間で情報を送受信するための、前記通信回路網に結合された複数の送受信アンテナを含んでいる、請求項１に記載の移動通信システム。
【請求項３】  前記直接リンクは、電話回路網を含んでおり、前記複数の送受信アンテナは、携帯電話アンテナである、請求項２に記載の移動通信システム。
【請求項４】  前記同報通信リンクは、前記複数の移動通信デバイスにより受信可能であるように意図された信号を、比較的広い地域にわたって供給する同報通信伝送アンテナを含んでいる、請求項１に記載の移動通信システム。
【請求項５】  前記同報通信リンクは、更に、テレビジョン放送システムを含んでおり、前記同報通信伝送アンテナは、テレビジョン放送アンテナである、請求項４に記載の移動通信システム。
【請求項６】  前記テレビジョン放送アンテナは、地上波テレビジョン放送アンテナである、請求項５に記載の移動通信システム。
【請求項７】  前記同報通信リンクは、更に、
前記複数の移動通信デバイスにより受信されるように意図された情報を前記通信回路網から伝送するための、前記通信回路網に結合された衛星地上局伝送アンテナと、
直接テレビジョン衛星システム衛星とを含んでおり、
前記直接テレビジョン衛星システム衛星は、
前記衛星地上局から伝送された前記情報を受信するための受信アンテナと、
前記複数の移動通信デバイスにより受信可能であるように意図された前記受信情報を比較的広い地域にわたって同報通信するためのテレビジョン放送伝送アンテナと、
を含んでいる、請求項５に記載の移動通信システム。
【請求項８】  前記複数の移動通信デバイスはそれぞれ、直接リンク・アンテナおよび同報通信受信アンテナを含んでおり、
前記直接リンクは、前記選択された移動通信デバイスの前記直接リンク・アンテナとの間で情報を送受信するための、前記通信回路網に結合された送受信アンテナを含んでおり、
前記同報通信リンクは、前記移動通信デバイスの前記同報通信受信アンテナに情報を伝送するための、前記通信回路網に結合された同報通信伝送アンテナを含んでいる、請求項１に記載の移動通信システム。
【請求項９】  前記通信回路網は、インターネットと、情報を記憶するための複数のコンピュータ・データ・サーバを含んでおり、
前記選択された移動通信デバイスは、情報を求める要求を前記直接リンクを介して前記コンピュータ・データ・サーバに供給するための回路を含んでおり、
前記コンピュータ・データ・サーバは、前記選択された移動通信デバイスからの前記要求に応答して、前記要求された情報を取り出し、前記取り出した情報を前記通信回路網に供給し、
前記取り出した情報が、前記複数の移動通信デバイスから同時に要求されると予想される場合は、前記通信回路網は、前記同報通信リンクを介して、前記情報を前記複数の移動通信デバイスに伝送し、前記直接リンクを介して、前記同報通信リンクが前記要求された情報を含むことを指定するデータを、前記選択された通信デバイスに伝送し、そうでない場合は、前記直接リンクを介して、前記要求された情報を前記選択された移動通信デバイスに伝送し、
前記選択された移動通信デバイスは、更に、前記直接リンクを介して受信した前記同報通信リンクが、前記要求された情報を含むというデータに応答して、前記要求された情報を前記同報通信リンクから受信するための、また、そうでない場合は、前記直接リンクから前記情報を受信するための回路を含んでいる、請求項１に記載の移動通信システム。
【請求項１０】  前記同報通信リンクは、複数のチャネルを含んでおり、
前記要求されたデータは、前記複数のチャネルのうちの選択されたチャネル上で同報通信され、前記同報通信リンクが、前記要求された情報を含むことを指定する前記データであって、前記選択された移動通信デバイスに伝送される前記データは、更に、前記要求された情報を伝送する前記チャネルを表すデータを含んでおり、
前記移動通信デバイスは、前記チャネルを表すデータに応答して、前記要求された情報を前記選択されたチャネルから受信する、請求項９に記載の移動通信システム。
【請求項１１】  通信回路網と複数の移動通信デバイスとの間で情報を通信する方法であって、
前記複数の移動通信デバイスのうちの選択された１つに向けられた情報を、前記選択された移動通信デバイスへの直接リンクを介して、前記通信回路網から前記選択された移動通信デバイスに供給するステップと、
前記複数の移動通信デバイスに向けられた情報を、前記複数のデバイスにより同時に受信できる同報通信リンクを介して、前記通信回路網から前記複数のデバイスに供給するステップと、
を含んでいる、前記情報を通信する方法。
【請求項１２】  前記直接リンクを介して前記情報を供給するステップは、電話回路網を介して前記情報を供給するステップを含んでいる、請求項１１に記載の情報を通信する方法。
【請求項１３】  前記電話回路網を介して前記情報を供給するステップは、携帯電話回路網を介して前記情報を供給するステップを含んでいる、請求項１２に記載の情報を通信する方法。
【請求項１４】  前記同報通信リンクを介して情報を供給するステップは、テレビジョン放送システムを介して前記情報を供給するステップを含んでいる、請求項１１に記載の情報を通信する方法。
【請求項１５】  前記テレビジョン放送リンクを介して前記情報を供給するステップは、前記テレビジョン放送システム中の複数のチャネルのうちの選択されたチャネル上で前記情報を供給するステップを含んでいる、請求項１４に記載の情報を通信する方法。
【請求項１６】  前記選択された移動通信デバイスが、情報を求める要求を、前記直接リンクを介して前記通信回路網に供給するステップと、
前記通信回路網が、前記供給された要求に応答して、前記要求された情報を取り出すステップと、
前記情報が前記複数の移動通信デバイスから同時に要求されると予想される場合は、前記要求された情報を前記同報通信リンクに供給し、そうでない場合は、前記要求された情報を前記直接リンクを介して前記選択された移動通信デバイスに供給するステップと、
前記情報が前記同報通信リンクに供給される場合は、前記要求された情報が前記同報通信リンクを介して供給されていることを指定すると共に前記選択されたチャネルを指定するデータを、前記直接リンクを介して前記選択された移動通信デバイスに供給するステップと、
前記選択された移動通信デバイスが、前記直接リンクを介して受信した前記指定データに応答して、前記同報通信リンク中の前記選択されたチャネルから、同報通信された前記要求された情報を受信するステップとを更に含んでいる、請求項１５に記載の情報を通信する方法。
【請求項１７】  前記テレビジョン放送システムを介して前記情報を供給するステップは、地上波テレビジョン放送システムを介して前記情報を供給するステップを含んでいる、請求項１４に記載の情報を通信する方法。
【請求項１８】  前記地上波テレビジョン放送システムを介して前記情報を供給するステップは、直接テレビジョン衛星システムを介して前記情報を供給するステップを含んでいる、請求項１４に記載の情報を通信する方法。
【請求項１９】  前記選択された移動通信デバイスが、
情報を求める要求を前記直接リンクを介して前記通信回路網に供給するステップと、
前記通信回路網が、前記供給された要求に応答して、前記要求された情報を取り出すステップと、
前記情報が前記複数の移動通信デバイスから同時に要求されると予想される場合は、前記要求された情報を前記同報通信リンクに供給し、そうでない場合は、前記要求された情報を前記直接リンクに供給するステップと、
を更に含んでいる、請求項１１に記載の情報を通信する方法。
【請求項２０】  前記情報が前記同報通信リンクに供給される場合は、前記要求された情報が前記同報通信リンクを介して供給されていることを指定するデータを、前記直接リンクを介して前記選択された移動通信デバイスに供給するステップと、
前記選択された移動通信デバイスが、前記指定データに応答して、前記供給された情報を前記同報通信リンクから受信するステップとを更に含んでいる、請求項１９に記載の情報を通信する方法。
【請求項２１】  直接リンクを介して通信回路網と情報を通信するためのインターフェースと、
同報通信リンクを介して前記通信回路網から情報を受信するためのインターフェースとを含んでいる、移動通信デバイス。
【請求項２２】  前記直接リンク・インターフェースは、携帯電話インターフェースを含んでいる、請求項２１に記載の移動通信デバイス。
【請求項２３】  前記携帯電話インターフェースは、携帯電話インターフェースを含んでいる、請求項２２に記載の移動通信デバイス。
【請求項２４】  前記同報通信インターフェースは、テレビジョン放送受信機インターフェースを含んでいる、請求項２１に記載の移動通信デバイス。
【請求項２５】  前記テレビジョン放送受信機インターフェースは、地上波テレビジョン放送受信機インターフェースを含んでいる、請求項２４に記載の移動通信デバイス。
【請求項２６】  前記テレビジョン放送受信機インターフェースは、直接テレビジョン衛星システム放送受信機インターフェースを含んでいる、請求項２４に記載の移動通信デバイス。
【請求項２７】  前記直接リンク・インターフェースと前記同報通信リンク・インターフェースとに結合されたコントローラであって、前に受信されたデータに応答して前記直接リンクと前記同報通信リンクのうちの一方から情報を受信するように前記移動通信デバイスを制御するためのコントローラを更に含んでいる、請求項２１に記載の移動通信デバイス。
【請求項２８】  前記コントローラに結合された、ユーザ入力を受け取るためのデバイスを更に含んでおり、
前記コントローラは、前記通信回路網に要求される情報を指定するユーザ入力に応答して、前記要求される情報を表すデータを前記直接リンクを介して前記通信回路網に供給する、請求項２７に記載の移動通信デバイス。
【請求項２９】  前記ユーザ入力受領デバイスは、キーパッドを含んでいる、請求項２８に記載の移動通信デバイス。
【請求項３０】  前記コントローラは、前記直接リンク・インターフェースを介して、前記要求された情報が、前記同報通信リンクを介して同報通信されていることを示すデータを受信し、前記同報通信リンクを介して、前記要求された情報を受信する、請求項２８に記載の移動通信デバイス。
【請求項３１】  前記要求された情報が前記同報通信リンクを介して同報通信されていることを示すデータを、前記コントローラが、前記直接リンク・インターフェースから受信した場合は、前記コントローラは、前記同報通信リンクを介して前記要求された情報を受信し、そうでない場合は、前記直接リンクを介して前記要求された情報を受信する、請求項２８に記載の移動通信デバイス。
【請求項３２】  前記同報通信リンクは、複数のチャネルを含んでおり、
前記要求された情報が前記同報通信リンク上の前記複数のチャネルのうちの選択された１つを介して同報通信されていることを示すデータを、前記コントローラが、前記直接リンク・インターフェースを介して受信した場合は、前記コントローラは、前記同報通信リンクの前記選択されたチャネルから前記要求された情報を受信し、そうでない場合は、前記直接リンクを介して前記要求された情報を受信する、請求項２８に記載の移動通信デバイス。
【請求項３３】  前記通信回路網から受信された要求された情報により表される画像を表示するための表示デバイスを更に含んでいる、請求項２１に記載の移動通信デバイス。
【請求項３４】  複数の移動通信デバイスと、通信回路網とを含んでいるシステムにおいて、前記複数の移動通信デバイスのうちの選択された１つを動作させる方法であって、
前記選択された移動通信デバイスに向けられた情報を、前記選択された移動通信デバイスへの直接リンクを介して前記通信回路網から受信するステップと、
前記選択された移動通信デバイスを含めた前記複数の移動通信デバイスに向けられた情報を、前記通信回路網から同報通信リンクを介して受信するステップとを含んでいる、前記方法。
【請求項３５】  前記直接リンクを介して情報を受信するステップは、電話回路網を介して情報を受信するステップを含んでいる、請求項３４に記載の方法。
【請求項３６】  前記電話回路網を介して情報を受信するステップは、携帯電話回路網を介して情報を受信するステップを含んでいる、請求項３５に記載の方法。
【請求項３７】  前記同報通信リンクを介して情報を受信するステップは、テレビジョン放送回路網を介して情報を受信するステップを含んでいる、請求項３４に記載の方法。
【請求項３８】  前記テレビジョン放送回路網を介して情報を受信するステップは、地上波テレビジョン放送回路網を介して情報を受信するステップを含んでいる、請求項３７に記載の方法。
【請求項３９】  前記テレビジョン放送回路網を介して情報を受信するステップは、直接衛星テレビジョン放送回路網を介して情報を受信するステップを含んでいる、請求項３４に記載の方法。
【請求項４０】  要求される情報を表すデータを、前記選択された移動通信デバイスから前記通信回路網に伝送するステップと、
前記要求された情報を、前記直接リンクと前記同報通信リンクのうちの一方を介して、前記通信回路網から前記移動通信デバイスにより受信するステップとを更に含んでいる、請求項３４に記載の方法。
【請求項４１】  前記要求された情報を受信するステップは、
前記要求された情報が前記通信回路網から前記同報通信リンクを介して伝送されている場合は、前記要求された情報が前記通信回路網から前記同報通信リンクを介して伝送されていることを指定するデータを、前記通信回路網から前記直接リンクを介して受信し、前記受信したデータに応答して、前記要求された情報を前記通信回路網から前記同報通信リンクを介して受信するステップと、
そうでない場合は、前記要求された情報を前記通信回路網から前記直接リンクを介して受信するステップとを含んでいる、請求項４０に記載の方法。
【請求項４２】  前記同報通信リンクは複数のチャネルを含み、前記要求された情報を受信するステップは、更に、
前記要求された情報が前記同報通信リンクの前記複数のチャネルのうちの選択されたチャネル上で伝送されていることを指定するデータを、前記通信回路網から前記直接リンクを介して受信するステップと、
前記要求された情報が前記通信回路網から前記同報通信リンクを介して伝送されている場合に、前記同報通信リンクの前記選択されたチャネルを介して、前記要求された情報を前記通信回路網から受信するステップとを更に含んでいる、請求項４１に記載の方法。